(57)【要約】      （修正有）【課題】天井及び床との隙間をできる限り少なくし、簡易に脱着可能な間仕切りパネルを提供する。【解決手段】床面に設置される第１支柱部材６と、第１支柱部材に対して上下方向に伸縮自在な第２支柱部材７Ｌと、第１支柱の下端近傍に設けられた下方水平梁１０と、第２支柱の上端近傍に設けられた上方水平梁９と、を有するフレームと、第１パネルと、第１パネルに積層配置され上下方向にスライド可能な第２パネルと、を有するパネルユニット３と、上方水平梁９に対して上下移動可能に取り付けられた上部ランナー４と、上方水平梁９と上部ランナー４とを離間するように付勢する付勢部材を備える付勢機構３６と、フレームの第１支柱部材と第２支柱部材との相対位置を固定する固定ユニット４２と、を備える。【選択図】図２
2019105078.tif 000002
【特許請求の範囲】
【請求項１】
床面に設置される左右一対の第１支柱部材と、前記第１支柱部材に対して上下方向に伸縮自在に入れ子式に設けられた第２支柱部材と、前記第１支柱の下端近傍に設けられた下方水平梁と、前記第２支柱の上端近傍に設けられた上方水平梁と、を有するフレームと、
前記フレーム下端近傍に接続された第１パネルと、前記第１パネルに積層配置されて前記第１パネルに対して上下方向にスライド可能に構成され、前記フレーム上端近傍に接続された第２パネルと、を有するパネルユニットと、
上面に形成された天井押圧壁と、前記天井押圧壁から下方向に延び前記パネルユニットの上端を被覆可能な上部縦壁を有し、前記上方水平梁に対して上下移動可能に取り付けられた上部ランナーと、
前記上方水平梁と前記天井押圧壁との間に設けられ、前記上方水平梁と前記上部ランナーとを離間するように付勢する付勢部材を備える付勢機構と、
前記フレームの前記第１支柱部材と前記第２支柱部材との相対位置を固定する固定ユニットと、
を備えることを特徴とする、間仕切りパネル。
【請求項２】
下面に形成された床押圧壁と、前記床押圧壁から上方に延びる下部縦壁を有し、前記下部縦壁によりパネルユニットの下端を被覆可能に前記下方水平梁に取り付けられた下部ランナーをさらに有することを特徴とする、請求項１に記載の間仕切りパネル。
【請求項３】
前記フレームは、第１支柱部材又は第２支柱部材の外表面に、上下方向に延びるガイド溝を有し、
前記第１パネル及び第２パネルは、幅方向両端に、前記ガイド溝に係合する係合部が設けられていることを特徴とする、請求項１又は２に記載の間仕切りパネル。
【請求項４】
前記第１支柱部材は幅方向外面に前記第２支柱部材を露出する開口を有し、前記ガイド溝は、前記第２支柱部材に設けられていることを特徴とする、請求項３に記載の間仕切りパネル。
【請求項５】
前記係合部は、前記第１パネル及び第２パネルの幅方向両端が折り返されて鈎状に形成され、
前記パネルユニットは、前記第２パネルが前記第１パネルに内側に収容されるように積層されることを特徴とする、請求項３又は４に記載の間仕切りパネル。
【請求項６】
前記固定ユニットは、前記上方水平梁から下方向に延び前記フレームの伸張長さより長い棒状の連結棒部と、前記第１支柱部材の上端近傍に設けられ前記連結棒部を把持する把持部材とを有することを特徴とする、請求項１から５のいずれか１つに記載の間仕切りパネル。
【請求項７】
前記把持部材は、
前記連結棒部が挿通可能な挿通孔を有する固定板と、
前記連結棒部に対する前記固定板の交差角度が大きくなるように前記固定板を付勢するバネ部材と、を有し、
前記バネ部材により、前記固定板が斜めになることで、前記挿通孔の周縁により前記連結棒部を把持固定することを特徴とする、請求項６に記載の間仕切りパネル。
【請求項８】
前記連結棒部は、下端部分が前記連結棒部の長手方向に交差する方向に移動することを規制する規制部材を備えることを特徴とする、請求項６又は７に記載の間仕切りパネル。
【発明の詳細な説明】
【技術分野】
【０００１】
本発明は間仕切りパネルに関し、特に屋内空間において簡易に取り付け及び取り外しが可能な内装用間仕切りパネルに関する。
【背景技術】
【０００２】
デパート売場や展示会場、事務所などの屋内空間において、ブースの仕切り等に間仕切りパネルが広く用いられ、それぞれ各種業務に適するように区切られる場合が多い。これらの間仕切りは、固定した背丈のパネルがそれぞれの高さごとに準備されていて、この中から各種業務に適するような高さの間仕切りを選択して用いたり、使用時に必要な高さに切断して施工していた。
【０００３】
一方でこれらの高さ固定の間仕切りは各種高さを数種類準備しておく必要があることの不便性から、上下方向に伸縮して高さを変更することができる間仕切りも知られている。
【０００４】
このような上下方向に伸縮する間仕切りパネルとしては、例えば、特許文献１から３などに記載されている。例えば、特許文献１（特開２００５−２７３４０２号公報）及び特許文献２（実用新案登録第３００８８６９号公報）には、上下方向に伸縮可能に設けられる２枚のパネルとこれらを任意の高さに固定することができるロック手段とを備えた間仕切りパネルが記載されている。これらの間仕切りパネルを設置する場合は、パネルを伸張させて予め床及び天井に設けられた上下ランナーに嵌め込むことで固定され、またパネルを縮小させて上下ランナーから外すことで取り外しを行うことができる。
【０００５】
特許文献１及び２の間仕切りパネルは、上下ランナーを予め床及び天井に設ける必要があることから、自由な取り付け位置調整を行なうことができず不便であった。また、取り付け及び取り外しのためにランナーを床及び天井に固定する必要があることから、パネルの脱着の手間が大きいという問題があった。
【０００６】
また、特許文献３（特開２０１６−１２５２６７号公報）の間仕切りパネルは、支柱の上下に固定ユニットを設け、当該支柱にパネルを取り付けるとともに、支柱の上下に設けられた固定ユニットが、床及び天井間に突っ張りにより固定されることで、任意の場所に取り付けることができ、また、簡易に取り付け及び取り外しを可能とする。
【先行技術文献】
【特許文献】
【０００７】
【特許文献１】特開２００５−２７３４０２号公報
【特許文献２】実用新案登録第３００８８６９号公報
【特許文献３】特開２０１６−１２５２６７号公報
【発明の概要】
【発明が解決しようとする課題】
【０００８】
しかし、特許文献３の間仕切りパネルは、支柱を床及び天井間に突っ張るための長さ調整に所定のピッチで設けられた固定孔を用いるため、段階的な長さ調整しかできず、当該ピッチによる長さの微調整は、固定ユニットの突張部材の移動幅を支柱の固定ピッチよりも大きく構成することで調整可能としていた。
【０００９】
このため、パネルの上下端と床及び天井との間に隙間ができることから、見栄えがよく、屋内において簡易に取り付け及び取り外しが可能な内装用間仕切りパネルが求められていた。
【００１０】
したがって、本発明が解決しようとする技術的課題は、天井及び床との隙間をできる限り少なくすることで見栄えがよく、屋内において簡易に取り付け及び取り外しが可能な内装用間仕切りパネルを提供することである。
【課題を解決するための手段】
【００１１】
本発明は、上記技術的課題を解決するために、以下の構成の間仕切りパネルを提供する。
【００１２】
本発明の第１態様によれば、床面に設置される左右一対の第１支柱部材と、前記第１支柱部材に対して上下方向に伸縮自在に入れ子式に設けられた第２支柱部材と、前記第１支柱の下端近傍に設けられた下方水平梁と、前記第２支柱の上端近傍に設けられた上方水平梁と、を有するフレームと、
前記フレーム下端近傍に接続された第１パネルと、前記第１パネルに積層配置されて前記第１パネルに対して上下方向にスライド可能に構成され、前記フレーム上端近傍に接続された第２パネルと、を有するパネルユニットと、
上面に形成された天井押圧壁と、前記天井押圧壁から下方向に延び前記パネルユニットの上端を被覆可能な上部縦壁を有し、前記上方水平梁に対して上下移動可能に取り付けられた上部ランナーと、
前記上方水平梁と前記天井押圧壁との間に設けられ、前記上方水平梁と前記上部ランナーとを離間するように付勢する付勢部材を備える付勢機構と、
前記フレームの前記第１支柱部材と前記第２支柱部材との相対位置を固定する固定ユニットと、
を備えることを特徴とする、間仕切りパネルを提供する。
【００１３】
本発明の第２態様によれば、下面に形成された床押圧壁と、前記床押圧壁から上方に延びる下部縦壁を有し、前記下部縦壁によりパネルユニットの下端を被覆可能に前記下方水平梁に取り付けられた下部ランナーをさらに有することを特徴とする、第１態様の間仕切りパネルを提供する。
【００１４】
本発明の第３態様によれば、前記フレームは、第１支柱部材又は第２支柱部材の外表面に、上下方向に延びるガイド溝を有し、
前記第１パネル及び第２パネルは、幅方向両端に、前記ガイド溝に係合する係合部が設けられていることを特徴とする、第１又は第２態様の間仕切りパネルを提供する。
【００１５】
本発明の第４態様によれば、前記第１支柱部材は幅方向外面に前記第２支柱部材を露出する開口を有し、前記ガイド溝は、前記第２支柱部材に設けられていることを特徴とする、第３態様の間仕切りパネルを提供する。
【００１６】
本発明の第５態様によれば、前記係合部は、前記第１パネル及び第２パネルの幅方向両端が折り返されて鈎状に形成され、
前記パネルユニットは、前記第２パネルが前記第１パネルに内側に収容されるように積層されることを特徴とする、第３又は第４態様の間仕切りパネルを提供する。
【００１７】
本発明の第６態様によれば、前記固定ユニットは、前記上方水平梁から下方向に延び前記フレームの伸張長さより長い棒状の連結棒部と、前記第１支柱部材の上端近傍に設けられ前記連結棒部を把持する把持部材とを有することを特徴とする、第１から第５態様のいずれか１つの間仕切りパネルを提供する。
【００１８】
本発明の第７態様によれば、前記把持部材は、
前記連結棒部が挿通可能な挿通孔を有する固定板と、
前記連結棒部に対する前記固定板の交差角度が大きくなるように前記固定板を付勢するバネ部材と、を有し、
前記バネ部材により、前記固定板が斜めになることで、前記挿通孔の周縁により前記連結棒部を把持固定することを特徴とする、第６態様の間仕切りパネルを提供する。
【００１９】
本発明の第８態様によれば、前記連結棒部は、下端部分が前記連結棒部の長手方向に交差する方向に移動することを規制する規制部材を備えることを特徴とする、第６又は第７態様の間仕切りパネルを提供する。
【発明の効果】
【００２０】
本発明によれば、フレームが上下方向に伸縮可能に構成されており、当該フレームの伸縮に追従して第２パネルが第１パネルに対してスライドすることで、パネルユニットの高さ寸法を調整することができる。また、フレームには、上方水平梁を備え、当該上側水平梁を収容するように配置された断面コの字型の上部ランナーを上方に付勢することによって、上部ランナーの天井押圧壁により、間仕切りパネルを床と天井との間で突っ張ることにより固定することができる。さらに、上部ランナーの上面は、天井押圧壁となっているため、天井と接触し、間仕切りパネルと天井との間に隙間を生じさせることがない。したがって、天井及び床との隙間をできる限り少なくすることで見栄えがよく、屋内において簡易に取り付け及び取り外しを可能とすることができる。
【図面の簡単な説明】
【００２１】
【図１】本発明の間仕切りパネルの概略構成を示す斜視図である。
【図２】図１の間仕切りパネルの裏面図である。
【図３】図１のIII-III線における断面図である。
【図４】図１の間仕切りパネルの右側面図である。
【図５】図３のＶの部分の構成を示す部分拡大図である。
【図６】図３のＶＩの部分の構成を示す部分拡大図である。
【図７】図３のＶＩＩの部分の構成を示す部分拡大図である。
【図８】図４のＶＩＩＩの部分の構成を示す部分拡大図である。
【図９】図４のＩＸの部分の構成を示す部分拡大図である。
【図１０】図１の間仕切りパネルの固定ユニットの構成を示す部分拡大図である。
【発明を実施するための形態】
【００２２】
以下、本発明の一実施形態に係る間仕切りパネルについて、図面を参照しながら説明する。
【００２３】
（全体構成）
図１は、本発明の実施形態にかかる間仕切りパネル１の概略構成を示す斜視図である。図２は、図１の間仕切りパネル１の背面図である。図３は、図１のIII-III線における断面図である。図４は、本実施形態にかかる間仕切りパネル１の右側面図である。
【００２４】
図１に示すように、本実施形態にかかる間仕切りパネル１は、図１の矢印９０に示すように、上下方向に伸縮可能に構成されており、屋内の天井Ｃと床面Ｆとの間に配置されて天井と床面とを突っ張ることにより、天井Ｃと床面Ｆとの間に固定される。
【００２５】
なお、図１に示す矢印にしたがって上記間仕切りパネル１の方向を定義する。すなわち、図１の上下に伸びる矢印の方向を上下方向、左右横方向に延びる矢印の方向を幅方向（左右方向）とする。また、図２の紙面に対して下側を表方向、紙面に対して上側を裏方向とする。
【００２６】
本実施形態に係る間仕切りパネル１は、フレーム２と、パネルユニット３と、上部ランナー４と、下部ランナー５とを有する。
【００２７】
フレーム２は、床面Ｆに設置される左右一対の第１支柱部材６と、第１支柱部材６に対して上下方向に伸縮自在に入れ子式に設けられた第２支柱部材７と、を備えた伸縮可能な左右一対の支柱８Ｌ，８Ｒと、左右一対の支柱８Ｌ，８Ｒの上端近傍に両支柱を跨ぐように設けられた上方水平梁９と、支柱８Ｌ，８Ｒの下端近傍に両支柱を跨ぐように設けられた下方水平梁１０と、を備える。
【００２８】
パネルユニット３は、第１パネル１１と、第２パネル１２とを備え、両者が厚み方向に重なるように積層配置されている。第１パネル１１及び第２パネル１２は、相対的に上下方向にスライド可能に構成されており、上下方向に位置をずらすことによって、パネルユニット３全体としての高さ寸法を変更することができるように構成されている。
【００２９】
上部ランナー４は、断面コの字状に構成され、フレーム２の上方水平梁９の上方から被せることで上方水平梁９を収容するように配置される。上部ランナー４は、後述するように、上方水平梁９に対して上下移動可能に、上方水平梁９の上側に取り付けられている。上部ランナー４は、後述するコイルバネ３６（付勢機構）により、上方水平梁９と離間するように、上方水平梁９に対して上向きに付勢されている。すなわち、上部ランナー４は、通常時は上方水平梁９から離れるような位置にあり、天井Ｃに押しつけられることで、天井Ｃを押し返すような力を加える。当該上部ランナー４と上方水平梁９の間に配置されたコイルバネ３６により、上部ランナー４が天井Ｃを押圧することにより、天井Ｃと床面Ｆとの間での突っ張り力を作用させ、間仕切りパネル１を固定することができる。
【００３０】
下部ランナー５は、断面コの字状に構成され、フレーム２の下方水平梁１０の下側から被せることで下方水平梁１０を収容するように配置される。下部ランナー５は、床面Ｆに載置され、上記のように、上部ランナー４による天井Ｃへの突っ張り力により、床面Ｆに押圧される。
【００３１】
（フレーム）
フレーム２は、上記の通り、左右一対の支柱８Ｌ，８Ｒと、上方水平梁９と、下方水平梁１０と、を備える。
【００３２】
フレーム２の左右一対の支柱８Ｌ，８Ｒは、上記のように、第１支柱部材６と、第１支柱部材６に対して上下方向に伸縮自在に入れ子式に設けられた第２支柱部材７と、を備える。第２支柱部材７は、最も収縮した状態において、第１支柱部材６の上端から若干上側に突出するように構成されている。
【００３３】
左右の支柱８Ｌ，８Ｒは、外側面に凹凸を有し、隣り合う間仕切りパネル１の凹凸と互いに嵌りあうことによって、厚み方向に位置ずれしないように構成されている。
【００３４】
まず、左側の支柱８Ｌについて説明する。図５は、図３のＶの部分の構成を示す部分拡大図であり、左側の支柱８Ｌの概略構成を示す。図５に示すように、左側の支柱８Ｌは、幅方向左側に開口１３Ｌを有する断面が略コの字状を有する第１支柱部材６Ｌと、第１支柱部材６Ｌの内側に収容された第２支柱部材７Ｌとを備える。第２支柱部材の左側表面は、第１支柱部材６Ｌの開口１３Ｌから露出する。
【００３５】
左側の第１支柱部材６Ｌは、間仕切りパネル１の表側に位置する表側壁１４Ｌと、裏側に位置する裏側壁１５Ｌと、右側に位置する中間壁１６Ｌとを有する。表側壁１４Ｌ及び裏側壁１５Ｌには、第２支柱部材７Ｌが開口１３Ｌから脱落しないように係止する表側反し部１７Ｌ及び裏側反し部１８Ｌがそれぞれ設けられている。
【００３６】
裏側反し部１８Ｌは、左側に突出するように構成されており、後述する右側の第１支柱部材６Ｒの裏側反し部１８Ｒと係合する。
【００３７】
中間壁１６Ｌには、内側に延びるガイド壁１９ａ，１９ｂが設けられている。ガイド壁１９ａ，１９ｂは後述するように、規制ガイド２４をガイドし、連結棒部２３の位置ずれを防止する規制部材として機能する。
【００３８】
表側に位置するガイド壁１９は、表側壁１４Ｌに比べて奥まって配置されている。これにより、後述するパネルユニット３との間にギャップＧが形成されて、パネルユニット３と支柱８Ｌとの接触面積が少なくなり、摩擦を低減することができる。
【００３９】
左側の第２支柱部材７Ｌは、図５に示すように、中空に構成されている。左側の第２支柱部材７Ｌは、第１支柱部材６Ｌに入れ子式に挿入されて、側面が第１支柱部材６Ｌの開口１３Ｌから露出する。第１支柱部材６Ｌの開口１３Ｌの表側端部には、後述するパネルユニット３の鈎状係合部２９Ｌが挿入されるガイド溝２０Ｌが形成されている。
【００４０】
また、第２支柱部材７Ｌの側面には、係合突部２１Ｌが形成されており、後述する右側の第２支柱部材７Ｒの係合凹部２１Ｒと係合する。これにより、隣り合って幅方向に連続して配置される間仕切りパネルが係合し、厚み方向への位置ずれが防止される。
【００４１】
次に、右側の支柱８Ｒについて説明する。図６は、図３のＶＩの部分の構成を示す部分拡大図であり、右側の支柱８Ｒの構成を示す。図６に示すように、右側の支柱８Ｒは、幅方向右側に開口１３Ｒを有する断面が略コの字状を有する第１支柱部材６Ｒと、第１支柱部材６Ｒの内側に収容された第２支柱部材７Ｒとを備える。第２支柱部材７Ｒの右側表面は、第１支柱部材６Ｒの開口１３ＲＬから露出する。
【００４２】
右側の第１支柱部材６Ｒは、間仕切りパネル１の表側に位置する表側壁１４Ｒと、裏側に位置する裏側壁１５Ｒと、右側に位置する中間壁１６Ｒとを有する。表側壁１４Ｒ及び裏側壁１５Ｒには、第２支柱部材７Ｒが開口１３Ｒから脱落しないように係止する反し部１７Ｒ，１８Ｒがそれぞれ設けられている。
【００４３】
裏側反し部１８Ｒは、左側支柱の裏側反し部１８Ｌと係合可能に凹状に構成されている。
【００４４】
中間壁１６Ｌには、内側に延びるガイド壁１９ａ，１９ｂが設けられている。ガイド壁１９ａ，１９ｂは後述するように、規制ガイド２４をガイドし、連結棒部２３の位置ずれを防止する規制部材として機能する。
【００４５】
表側に位置するガイド壁１９ａは、表側壁１４Ｒにくらべて奥側に配置されている。これにより、後述するパネルユニット３との間にギャップＧが形成されて、パネルユニット３と支柱８Ｒとの接触面積が少なくなり、摩擦を低減することができる。
【００４６】
右側の第２支柱部材７Ｒは、図６に示すように、中空に構成されている。右側の第２支柱部材７Ｒは、第１支柱部材６Ｒに入れ子式に挿入されて、側面が第１支柱部材６Ｒの開口１３Ｒから露出する。第１支柱部材６Ｒの開口１３Ｒの表側端部には、後述するパネルユニット３の鈎状係合部２９Ｒが挿入されるガイド溝２０Ｒが形成されている。
【００４７】
また、第２支柱部材７Ｒの側面には、係合凹部２１Ｒが形成されており、左側の第２支柱部材７Ｌの係合突部２１Ｌと係合する。これにより、隣り合って幅方向に連続して配置される間仕切りパネルが係合し、厚み方向への位置ずれが防止される。
【００４８】
図７は、図３のＶＩＩの部分の構成を示す部分拡大図である。図７に示すように、上方水平梁９は、左右一対の支柱８Ｌ，８Ｒの上端近傍に両支柱を跨ぐように設けられる。具体的には、上方水平梁９は、第１支柱部材６の上方から突出した突出部分７Ｕ同士を接続する。
【００４９】
上方水平梁９には、後述するように上部ランナー４を取り付けるための取付孔２２が４箇所に設けられている。取付孔２２は、上方水平梁９を上下方向に貫通するように構成されており、後述する上部ランナー２２の取り付け軸３５が挿通される。
【００５０】
また、図２に示すように、上方水平梁９の幅方向中央部分には、上方水平梁９から下方へ延びる連結棒部２３が設けられている。連結棒部２３は、後述する固定ユニットを構成する部材の１つである。本実施形態では、連結棒部２３は、円筒形の棒状部材であり、フレーム２の最大伸張長さよりも長く構成されている。
【００５１】
連結棒部２３の下端には、連結棒部２３の下端部分が幅方向あるいは厚み方向への揺動を規制するための規制ガイド２４が設けられている。規制ガイドは、幅方向に延びる棒状の部材であり、左右一対の第１支柱部材６Ｌ，６Ｒのガイド壁１９ａ，１９ｂの間に係合される。これにより、規制ガイド２４は、支柱８Ｌ，８Ｒの延在方向、すなわち、上下方向には移動可能であるが、厚み方向へはガイド壁１９ａ，１９ｂにより移動が規制される。
【００５２】
図９は、図４のＩＸの部分の構成を示す部分拡大図であり、下方水平梁１０の取り付け構成を示している。下方水平梁１０は、左右一対の支柱８Ｌ，８Ｒの下端近傍に両支柱を跨ぐように設けられる。具体的には、下方水平梁１０は、第１支柱部材６の中間壁１６Ｌ，１６Ｒに接続する。
【００５３】
下方水平梁１０には、後述するように、下部ランナー５が取り付けられ、その取り付けのための取付孔２５が設けられている。取付孔２５は、取り付けナット２６ａを収容し、下部ランナー５に接続する取り付けボルト２６ｂと嵌り合うことにより、下部ランナー５の高さ位置を調整可能とする。
【００５４】
なお、左右の第１支柱部材の上端近傍には、中間水平梁２７が設けられている。中間水平梁２７は、後述するように、把持部材４３が取り付けられる。中間水平梁２７には、貫通孔２８が設けられており、連結棒部２３が挿通される。
【００５５】
上記のように、フレーム２の支柱８Ｌ，８Ｒは、第２支柱部材７が、第１支柱部材６に対して上下方向に伸縮自在に設けられる。第２支柱部材７が伸縮することで、上方水平梁９及び連結棒部２３も矢印９１（図２参照）に示すように、上下方向に移動する。これにより、支柱８Ｌ，８Ｒの伸縮に伴い、連結棒部２３の中間水平梁２７を貫通する位置が変化する。後述するように、中間水平梁に設けられた把持部材４３が、支柱の伸縮に応じた位置で連結棒部２３を把持固定することで、第２支柱部材７の第１支柱部材６に対する位置が固定される。
【００５６】
（パネルユニット）
パネルユニット３は、上記のように、第１パネル１１と、第２パネル１２とを備え、両者が積層配置されている。本実施形態では、第１パネル１１は、第２パネル１２の上側(表側)に位置するように積層されるが、これに限定されるものではない。
【００５７】
第１パネル１１及び第２パネル１２は、金属薄板で構成されており、間仕切りパネル１の表側に位置する主面３０と、主面３０の幅方向両端側に設けられた、前記金属薄板が折り返されて形成された鈎状係合部２９Ｌ，２９Ｒとを有する。本実施形態では、鈎状係合部２９Ｌ，２９Ｒにより、第１パネル１１及び第２パネル１２の相対的な幅方向への位置ずれが規制される。一方、第１パネル１１及び第２パネル１２は、上下方向へはスライド可能であり、相対位置が変更することにより、パネルユニット３全体としての高さ寸法が変化する。
【００５８】
鈎状係合部２９Ｌ，２９Ｒは、上記のように、支柱８Ｌ，８Ｒのガイド溝２０Ｌ，２０Ｒにはまり込むことにより、パネルユニット３と支柱８Ｌ，８Ｒが上下方向に移動可能に係合する。
【００５９】
第１パネル１１は、図９に示すように、下端が支柱側（裏方向側）に折り返されて形成される下端係合部１１ａを備える。下端係合部１１ａは、第１支柱部材６Ｌ，６Ｒの下端に係合し、第１パネル１１が上方へ移動することを防止する。すなわち、第１パネル１１は、フレーム２の下端近傍に接続されている。
【００６０】
第２パネル１２は、図５、図６に示すように、上端が支柱側（裏方向側）に折り返されて形成される上端係合部１２ａを備える。上端係合部１２ａは、第２支柱部材７Ｌ，７Ｒの上端に係合する。したがって、フレーム２が上方へ伸びる際に、第２支柱部材７Ｌ，７Ｒと上端係合部１２ａが係合することで、第２パネル１２が上方へスライドする。なお、上記の通り、第１パネルは、第１支柱部材６Ｌ，６Ｒの下端に係合しているため、上側への移動が規制されており、結果として、第２パネル１２が第１パネル１１に対してスライドし、パネルユニット３全体の高さ寸法が変化する。
【００６１】
（上部ランナー）
上部ランナー４は、図８に示すように、フレーム２の上方水平梁９の上方に取り付けられる。上部ランナー４は、断面コの字状に構成され、上面に天井押圧壁３１と、天井押圧壁３１の表面側端部から下側に延びる表上部縦壁３２と、天井押圧壁３１の裏面側端部から下側に延びる裏上部縦壁３３を有する。
【００６２】
上部ランナー４の天井押圧壁３１の下面には、図７，図８に示すように、上方水平梁９の取付孔２２に挿通可能な取り付け軸３５を複数有する。取り付け軸３５は、上部ランナー４と上方水平梁９との間に設けられるコイルバネ３６に挿入される。
【００６３】
コイルバネ３６は、上部ランナー４と上方水平梁９とを離間させるように、上部ランナー４を上方向に付勢する。コイルバネ３６は、付勢部材に相当する。なお、上部ランナー４にコイルバネ３６の付勢力を越える力が下方向に加わった場合には、矢印９２に示すように、上部ランナー４が下方向に移動する。
【００６４】
天井押圧壁３１には、幅方向に延びる上部滑り止めゴム３４が設けられている。上部滑り止めゴム３４は、上部ランナー４による天井Ｃの押圧時に間仕切りパネル１の位置ずれを防止し、間仕切りパネル１の脱落を防止する。また、上部滑り止めゴム３４自体が弾性変形し、天井への押圧力を補強する。
【００６５】
上部ランナー４は、上方水平梁９を内部に収容するように、上方から被せるように上方水平梁９に配置する。このとき、表上部縦壁３２は、パネルユニット３（第２パネル１２）の上端１２ａを被覆するような高さ寸法に構成されることが好ましい。
【００６６】
（下部ランナー）
下部ランナー５は、図９に示すように、フレーム２の下方水平梁１０の下方に取り付けられる。下部ランナー５は、断面コの字状に構成され、下面に床押圧壁３７と、床押圧壁３７の表面側端部から上側に延びる表下部縦壁３８と、床押圧壁３７の裏面側端部から上側に延びる裏下部縦壁３９を有する。
【００６７】
床押圧壁３７の上面には、座金４０が設けられている。座金４０は取り付けボルト２６ｂと、ボルトの軸を中心として回転可能に連結する。
【００６８】
下部ランナー５は、取り付けボルト２６ｂを介して下方水平梁１０に取り付けられる。取り付けボルト２６ｂの螺進位置を変更することによって、下部ランナー５と下方水平梁１０との距離を調整することができる。
【００６９】
床押圧壁３７には、幅方向に延びる下部滑り止めゴム４１が設けられている。下部滑り止めゴム４１は、下部ランナー５による床面Ｆの押圧時に間仕切りパネル１の位置ずれを防止し、間仕切りパネル１の脱落を防止する。また、下部滑り止めゴム４１自体が弾性変形し、床面Ｆへの押圧力を補強する。
【００７０】
下部ランナー５は、下方水平梁１０を内部に収容するように、下方から被せるように下方水平梁１０に配置する。このとき、表下部縦壁３８は、パネルユニット３（第１パネル１１）の下端１１ａを被覆するような高さ寸法に構成されることが好ましい。
【００７１】
（固定ユニット）
本実施形態の間仕切りパネル１のフレーム２は、上記のように上下方向に伸縮自在に構成され、また、フレーム２の伸縮幅に応じてパネルユニット３も上下方向に伸縮する。また、当該フレームの伸縮に応じて、上部ランナー４及び下部ランナー５が、コイルバネ３６の付勢力によって天井Ｃ及び床面Ｆを押圧することで、間仕切りパネル１を固定する。したがって、フレーム２は、当該付勢力を確保するために、所定の高さ寸法で固定されることが必要である。本実施形態に係る間仕切りパネル１は、当該フレームを固定するために固定ユニット４２を備えている。
【００７２】
図１０は、固定ユニットの構成を示す部分拡大図である。固定ユニット４２は、第２支柱部材７に連結する上方水平梁９から下方へ延びる連結棒部２３と、第１支柱部材６に連結する中間水平梁２７に設けられた把持部材４３とを含む。
【００７３】
把持部材４３は、上記のように、第２支柱部材７の伸縮に応じて上下に移動する連結棒部２３を任意の位置で把持固定することにより、フレーム２の伸縮位置を固定する。
【００７４】
把持部材４３は、中間水平梁２７の下面に取り付けられる固定板ホルダ４４と、固定板ホルダ４４に片持ち状態で接続される第１の固定板４５及び第２の固定板４６と、第１の固定板４５及び第２の固定板４６を付勢する２つのコイルバネ２７を備える。
【００７５】
固定板ホルダ４４は、Ｌ字状に構成された金属板であり、中間水平梁２７に固定される取付部４４ｂと、取付部４４ｂの幅方向端部から下方に延びるホルダ部４４ｃとを有する。取付部４４ｂには、連結棒部２３を挿通可能な貫通孔４４ａが設けられている。ホルダ部４４ｃには、第１固定板４５及び第２固定板４６の端部が挿入され、傾斜角度を変更可能に第１固定板４５及び第２固定板４６を支持する。
【００７６】
第１固定板４５は、Ｌ字状に構成された金属板であり、連結棒部２３が挿通可能な貫通孔４５ａを有する把持部４５ｂと、把持部の幅方向端部から下方に延びる当接部４５ｃとを備える。貫通孔４５ａは、連結棒部２３の外径寸法よりも若干大きく構成されている。連結棒部２３に対する把持部４５ｂの角度が略直交するときには、当該貫通孔４５ａは、自由に連結棒部２３を自由に移動させることができる。一方、連結棒部２３に対して把持部４５ｂが所定の傾斜角度となると、貫通孔４５ａの周縁が、連結棒部２３の外周面に引っ掛かり、連結棒部２３の自由な移動を規制する。
【００７７】
当接部４５ｃは、第２固定板４６が上方向に移動した場合に、第２固定板４６にと右折することで、第１固定板４５を連動させる。
【００７８】
第２固定板４６は、クランク状に構成された金属板であり、連結棒部２３が挿通可能な貫通孔４６ａを有する把持部４６ｂと、把持部の幅方向端部に設けられたハンドル部４６ｃとを備える。貫通孔４６ａは、連結棒部２３の外径寸法よりも若干大きく構成されている。連結棒部２３に対する把持部４６ｂの角度が略直交するときには、当該貫通孔４６ａは、自由に連結棒部２３を自由に移動させることができる。一方、連結棒部２３に対して把持部４６ｂが所定の傾斜角度となると、貫通孔４６ａの周縁が、連結棒部２３の外周面に引っ掛かり、連結棒部２３の自由な移動を規制する。
【００７９】
コイルバネ２７は、連結棒部２３に外挿されており、固定板ホルダ４４と第１固定板４５との間、及び第１固定板４５と第２固定板４６との間に配置される。コイルバネ４７は、両端に位置する部材を離間させるように付勢力を与えており、通常時は、第１固定板４５及び第２固定板４６の連結棒部２３に対する傾斜角度を大きくするような付勢力を及ぼす。これにより、連結棒部２３は、第１固定板４５及び第２固定板４６により把持固定され、任意の位置で連結棒部２３を固定することができる。
【００８０】
一方、連結棒部２３の固定を解除したいときは、第２固定板４６のハンドル部４６ｃを上方に押し上げる。これにより、第２固定板４６の傾斜角度が連結棒部２３に対して略直交する。また、第２固定板４６の上昇に伴い、第１固定板４５の当接部４５ｃが第２固定板４６に押し上げられ、第１固定板４５が上昇する。これにより、連結棒部２３と把持部材４３との係合を解除することができる。
【００８１】
本実施形態にかかる間仕切りパネル１は次のようにして屋内に配置する。まず、間仕切りパネル１の取り付けボルト２６ｂを操作して、設置する床面Ｆの傾斜などにあわせて下部ランナー５の高さ調整を行う。
【００８２】
下部ランナー５の高さ調整が完了すると、所定の床面Ｆに間仕切りパネル１を立てた状態に配置し、把持部材４３による連結棒部２３の固定を解除し、第２支柱部材７を上方に引き出してフレーム２を伸張させる。上記のように、フレーム２の伸張においては、第２支柱部材７が第１支柱部材６に入れ子式に構成され、また、第２パネル１２が第２支柱部材７と接続し、第１パネル１１が第１支柱部材６と接続しているため、フレーム２の伸張に応じてパネルユニット３も伸張する。このため、間仕切りパネル１の伸張作業が簡便となる。
【００８３】
本実施形態にかかる間仕切りパネル１に採用された固定ユニット４２は、伸張時には係止することなくフレーム２を自由に伸ばすことができる。フレーム２の上端に設けられている上部ランナー４の天井押圧壁３１が天井Ｃ面に接触した状態でさらにフレーム２を伸張させることにより、コイルバネ３６が縮小され上部ランナー４とフレーム２との間の付勢力が作用する。
【００８４】
コイルバネ３６が間仕切りパネル１を支持可能な付勢力を発揮するまで十分に収縮させると、フレーム２の伸張を停止する。この状態では、把持部材４３が連結棒部２３を固定するため、フレーム２が所定の長さで固定される。したがって、コイルバネ３６の付勢力により、床面Ｆ及び天井面Ｃの間に上部ランナー４及び下部ランナー５が突っ張った状態となり、間仕切りパネル１を立てた状態に維持することができる。
【００８５】
また、本実施形態の間仕切りパネル１は、第１支柱部材６，第２支柱部材７が中空に構成されるなど、軽量に構成されているため、パネルの立設に要する支持力も小さくてすみ、２つのコイルバネ３６の付勢力で十分に固定可能である。
【００８６】
設置した間仕切りパネル１を撤去する場合は、把持部材４３の連結棒部２３への固定を解除することで、フレーム２が収縮可能となる。なお、フレーム２の支柱８の収縮に伴い、パネルユニット３の第１パネル１１及び第２パネル１２は、上部ランナー４及び下部ランナー５に押されることにより、フレーム２の寸法に応じて収縮する。これにより、床面Ｆ及び天井面Ｃの間の突っ張りが解除され、間仕切りパネル１を撤去することが可能となる。
【００８７】
本実施形態の間仕切りパネル１によれば、フレーム２が伸縮可能に構成されており、当該フレーム２の伸縮に追従して第２パネル１２が第１パネル１１に対して伸縮することで、パネルの高さ寸法を調整することができる。また、フレーム２の上端には、上下方向に移動可能で上方に付勢された上部ランナー４が設けられているため、床面Ｆと天井面Ｃに間仕切りパネル１を突っ張って配置した場合にも、しっかりと安定した状態にパネルを配置することができる。また、パネル取り付けのために天井及び床面に取り付け治具を設ける必要はなく、任意の位置に簡便にパネルを取り付けることが可能である。
【００８８】
また、上部ランナー４及び下部ランナー５は、床面Ｆと天井面Ｃに接触し、かつ、パネルユニット３の上下端を被覆するため、間仕切りパネル１と床面Ｆ及び天井面Ｃの間に隙間を生じさせることがなく、見栄えをよくすることができる。
【００８９】
また、パネル取り外しは、固定ユニット４２の係合を解除しフレーム２を短くすることで簡単に取り外すことができる。したがって、取り付け位置の制限が少なく、また、屋内において簡易に取り付け及び取り外しをすることができる。
【００９０】
なお、本発明は上記実施形態に限定されるものではなく、その他種々の態様で実施可能である。例えば、上記実施形態では、フレーム２の表面のみにパネルユニット３を取り付けたが、フレーム２の裏面側にもパネルを取り付けて、固定ユニット４２などが外から視認できないように隠すことができる。
【符号の説明】
【００９１】
１  間仕切りパネル
２  フレーム
３  パネルユニット
４  上部ランナー
５  下部ランナー
６  連結リブ
５ｂ，６ｂ  連結凹溝
６，６Ｌ，６Ｒ  第１支柱部材
７，７Ｌ，７Ｒ  第２支柱部材
８，８Ｌ，８Ｒ  支柱
９  上方水平梁
１０  下方水平梁
１１  第１パネル
１２  第２パネル
１３Ｌ，１３Ｒ  開口
１４Ｌ，１４Ｒ  表側壁
１５Ｌ，１５Ｒ  裏側壁
１６Ｌ，１６Ｒ  中間壁
１７Ｌ，１７Ｒ  表側反し部
１８Ｌ，１８Ｒ  裏側反し部
１９ａ，１９ｂ  ガイド壁
２０Ｌ，２０Ｒ  ガイド溝
２１Ｌ  係合突部
２１Ｒ  係合凹部
２２  取付孔
２３  連結棒部
２４  規制ガイド
２５  取付孔
２６ａ  取り付けナット
２６ｂ  取り付けボルト
２７  中間水平梁
２８  貫通孔
２９Ｌ，２９Ｒ  鈎状係合部
３０  主面
３１  天井押圧壁
３２  表上部縦壁
３３  裏上部縦壁
３４  上部滑り止めゴム
３５  取り付け軸
３６  コイルバネ
３７  床押圧壁
３８  表下部縦壁
３９  裏下部縦壁
４０  座金
４１  下部滑り止めゴム
４２  固定ユニット
４３  把持部材
４４  固定板ホルダ
４５  第１固定板
４６  第２固定板
４７  コイルバネ
【図１】
2019105078.tif 000003
【図２】
2019105078.tif 000004
【図３】
2019105078.tif 000005
【図４】
2019105078.tif 000006
【図５】
2019105078.tif 000007
【図６】
2019105078.tif 000008
【図７】
2019105078.tif 000009
【図８】
2019105078.tif 000010
【図９】
2019105078.tif 000011
【図１０】
2019105078.tif 000012